(57)【特許請求の範囲】
【請求項１】
複数のサブバンドにおける受信回線品質に基づいて決まる最適サブバンドを端末より基地局へ通知するサブバンド通知方法において、
現在端末に割り当てられているサブバンドと該サブバンドの両側ｎ番目の近隣サブバンドとにおける端末の受信回線品質を測定するステップ、
各サブバンドにおける前記回線品質を比較し、最適サブバンドが現サブバンドより周波数が高いほうのサブバンドであるか、周波数が低いほうのサブバンドであるかを特定するサブバンド変更要求データを作成するステップ、
該サブバンド変更要求データを端末より基地局に送信するステップ、
を備えたことを特徴とするサブバンド通知方法。
【請求項２】
現サブバンドと該サブバンドの両側のサブバンドの回線品質を比較して前記サブバンド変更要求データを端末より基地局に送信する第１のモードにおいて、全サブバンドにおける回線品質のうち最も品質が良好なサブバンドの識別番号を基地局に通知する第２のモードに移行すべき条件が成立したか監視するステップ、
前記条件が成立したとき、全サブバンドにおける受信回線品質を測定し、最も品質が良好なサブバンドの識別番号を基地局に通知するステップ、
しかる後、前記第１モードに移行するステップ、
を備えたことを特徴とする請求項１記載のサブバンド通知方法。
【請求項３】
端末より受信回線品質が最適のサブバンドの識別番号を受信したとき該サブバンド識別番号を保持すると共に、該サブバンドを用いて該端末にデータを送信するステップ、
前記端末より最適サブバンドが現サブバンドより周波数が高いほうのサブバンドであるか、周波数が低いほうのサブバンドであるかを特定する制御データを受信したとき、該受信データに基づいて前記保持している最適サブバンドを更新するステップ、
該更新後の最適サブバンドを用いて該端末にデータを送信するステップ、
を備えることを特徴とする請求項１記載のサブバンド通知方法。
【請求項４】
複数のサブバンドにおける受信回線品質に基づいて決まる最適サブバンドを基地局へ通知する端末装置において、
現在端末装置に割り当てられているサブバンドと該サブバンドの両側ｎ番目の近隣サブバンドとにおける受信回線品質を測定する受信品質測定部、
各サブバンドにおける前記回線品質を比較し、最適サブバンドが現サブバンドより周波数が高いほうのサブバンドであるか、周波数が低いほうのサブバンドであるかを決定する最適サブバンド決定部、
前記決定に基づいてサブバンド変更要求データを作成し、該サブバンド変更要求データを基地局に送信する送信部、
を備えたことを特徴とする端末装置。
【請求項５】
現サブバンドと該サブバンドの両側のサブバンドの回線品質を比較して前記サブバンド変更要求データを基地局に送信する第１のモードにおいて、全サブバンドにおける回線品質のうち最も品質が良好なサブバンドの識別番号を基地局に通知する第２のモードに移行すべき条件が成立したか監視する測定モード変更切替判断部、
を備え、前記条件が成立したとき、前記最適サブバンド決定部は前記受信品質測定部より出力される全サブバンドにおける受信回線品質を参照し、最も品質が良好なサブバンドを最適サブバンドとして決定し、前記送信部は該最適サブバンドの識別番号を基地局に通知することを特徴とする請求項４記載の端末装置。
【発明の詳細な説明】
【技術分野】
【０００１】
本発明は、サブバンド通知方法及び端末装置に係わり、特にダウンリンクの無線回線品質に基づいて周波数領域スケジューリングを行なって各端末に対して適応的にサブバンドの割り当てを行なうセルラーシステムにおけるサブバンド通知方法及び端末装置に関する。
【背景技術】
【０００２】
3GPPシステムの次世代システムとして検討が行なわれているEUTRAN(Evolved UTRAN)（非特許文献１参照）では、基地局から移動局へのダウンリンク、移動局から基地局へのアップリンク共に、時間領域のみならず周波数領域でのスケジュリーングが行なわれることになっている。すなわち、ダウンリンク、アップリンクそれぞれの伝送帯域が複数のサブバンドに分割され、基本的に各端末に対し、もっとも品質が良いサブバンドを割り当ててデータ送信を行なう。
ダウンリンクでは、伝送帯域全域にわたり、一定の周期で既定の共通パイロットが基地局から送信される。図１７はダウンリンクの無線フレームの一例を示す概要図であり、各サブバンドにおいて一定周期毎に、すなわち、1TTI(Transmission Time Interval)毎に共通パイロット、制御信号、ユーザデータ等が送信される。制御信号には、該制御信号と同じTTIの中で伝送されるユーザデータがどの端末装置（移動局）に対するものであるかを示すユーザID情報などが含まれている。各端末は、制御信号を復号してそのユーザID情報を確認することで、後続の同一TTI内のユーザデータを復号するかどうかの判断を行なうことができる。
【０００３】
各端末MSは、図１８に示すようにサブバンド毎にダウンリンク共通パイロットpilot＃１〜pilot#60に対する無線測定(SNRあるいは SIR等の測定)を行なうことで、各端末にとって品質が良いサブバンドがどれであるかがわかる。各端末MSは、この無線測定結果の全て、あるいは一部をそのまま、若しくは、測定した無線測定結果を違うフォーマットに変換して基地局BSに報告する。これにより、基地局BSは各端末MSにとって品質が良いサブバンドを使用して該端末への個別データ（dedicated data）を送信できるようになる（基地局によるスケジューリング送信）。端末MSが測定した結果をどのような形でどのように基地局BSに対して報告するかの方法はいろいろと考えられるが、一般的な方法は、図１８に示すように最も品質が良いsub-band（サブバンド）の認識番号と無線測定結果をアップリンクにて基地局BSに送信する方法である。
EUTRANでは、ダウンリンク、アップリンクは図１７に示すように共に最大２０MHｚの伝送帯域幅を有することが想定されている。サブバンドの幅については、ダウンリンクでは、300 kHzから400 kHzほどが想定されており、伝送帯域におけるサブバンドの数は伝送帯域幅が20 MHzの場合、50個から60個ほどになる。サブバンドに識別番号を割り振った場合、識別番号を表す信号の長さは、CRC（巡回冗長検査）符号の付加や符号化処理等を行なわない状態では６ビットになる。
端末MSから基地局BSへの測定結果報告の頻度が高いほど、基本的にはダウンリンクでの伝送特性は向上する。これは、端末へのデータ送信のために最適なサブバンドを使用する時間が増えるからである。別の言い方では、端末へデータを送信するにあたり、最適なサブバンドが使用される確率が増加するからである。品質が良いサブバンドを使用する場合、高いデータレートでデータ伝送を行なうことが可能となり、結果的にデータスループット特性が向上する。しかし、端末MSから基地局BSへの測定結果報告の頻度が高いほどアップリンクでの無線リソース消費が増加する。アップリンクでの無線リソースの消費を考慮すると、測定結果を報告する頻度を低くすることになるが、それではダウンリンク伝送特性が劣化する。
【０００４】
従来技術として移動通信システムにおける複数周波数の負荷分散方式がある（特許文献１参照）。この複数周波数の負荷分散方式は、呼制御処理部からの周波数割り当て要求に対して、各周波数の使用状態から割り当て周波数を導出して複数周波数の負荷分散を図るものである。しかし、この従来技術は、端末におけるダウンリンクの無線回線品質に基づいて基地局が周波数領域スケジューリングを行なって各端末に対して適応的にサブバンドの割り当てを行なうものではない。また、端末から基地局への無線回線品質の測定結果報告の頻度を高くしてもアップリンクでの無線リソースの増加を抑えるようにするものでもない。
【特許文献１】特開２００４−１５６９７号公報
【非特許文献２】3GPP TR 25.814 V1.1.1 (2006-2)
【発明の開示】
【発明が解決しようとする課題】
【０００５】
基地局からある端末にデータを送信している時、データ送信のために使用するサブバンドの品質は時間の経過で変動するが、使用中のサブバンドに隣接する或いは次隣接するサブバンドの方の品質が良くなることは、よく起こり得ることである。しかしながら、その隣接サブバンドを使用したいという場合に、６ビットを使用して該サブバンドの識別番号を報告するのは、アップリンクの無線リソースの消費を考慮すると好ましくない。もし、サブバンドを特定するために使用するビット数を効果的に減らすことが可能ならば、端末より基地局にサブバンドを含む測定結果を報告する頻度を低くする必要がなく、ダウンリンクでの伝送特性を向上することが可能になる。
以上から、本発明の目的は、サブバンドを特定するために使用するビット数を効果的に減らせるようにすることである。
本発明の別の目的は、常時全サブバンドのパイロット測定を行なう必要が無く、定期的にあるいは無線通信環境が悪化したときにのみ全サブバンドのパイロット測定を行なうだけでよいようにすることである。
【課題を解決するための手段】
【０００６】
本発明は複数のサブバンドにおける受信回線品質に基づいて決まる最適サブバンドを基地局へ通知するサブバンド通知方法及び端末装置である。
本発明のサブバンド通知方法は、現在端末に割り当てられているサブバンドと該サブバンドの両側ｎ番目の近隣サブバンドとにおける端末の受信回線品質を測定するステップ、各サブバンドにおける前記回線品質を比較し、最適サブバンドが現サブバンドより周波数が高いほうのサブバンドであるか、周波数が低いほうのサブバンドであるかを特定するサブバンド変更要求データを作成するステップ、該サブバンド変更要求データを端末より基地局に送信するステップを備えている。
上記本発明のサブバンド通知方法は、更に、現サブバンドと該サブバンドの両側のサブバンドの回線品質を比較して前記サブバンド変更要求データを端末より基地局に送信する第１のモードにおいて、全サブバンドにおける回線品質のうち最も品質が良好なサブバンドの識別番号を基地局に通知する第２のモードに移行すべき条件が成立したか監視するステップ、前記条件が成立したとき、全サブバンドにおける受信回線品質を測定し、最も品質が良好なサブバンドの識別番号を基地局に通知するステップ、しかる後、前記第１モードに移行するステップ、を備えている。
上記本発明のサブバンド通知方法は、更に、端末より受信回線品質が最適のサブバンドの識別番号を受信したとき該サブバンド識別番号を保持すると共に、該サブバンドを用いて該端末にデータを送信するステップ、前記端末より最適サブバンドが現サブバンドより周波数が高いほうのサブバンドであるか、周波数が低いほうのサブバンドであるかを特定する制御データを受信したとき、該受信データに基づいて前記保持している最適サブバンドを更新するステップ、該更新後の最適サブバンドを用いて該端末にデータを送信するステップを備えている。
本発明の端末装置は、現在端末装置に割り当てられているサブバンドと該サブバンドの両側ｎ番目の近隣サブバンドとにおける受信回線品質を測定する受信品質測定部、各サブバンドにおける前記回線品質を比較し、最適サブバンドが現サブバンドより周波数が高いほうのサブバンドであるか、周波数が低いほうのサブバンドであるかを決定する最適サブバンド決定部、前記決定に基づいてサブバンド変更要求データを作成し、該サブバンド変更要求データを基地局に送信する送信部を備えている。
上記本発明の端末装置は、更に、現サブバンドと該サブバンドの両側のサブバンドの回線品質を比較して前記サブバンド変更要求データを基地局に送信する第１のモードにおいて、全サブバンドにおける回線品質のうち最も品質が良好なサブバンドの識別番号を基地局に通知する第２のモードに移行すべき条件が成立したか監視する測定モード変更切替判断部を備え、前記条件が成立したとき、前記最適サブバンド決定部は前記受信品質測定部より出力される全サブバンドにおける受信回線品質を参照し、最も品質が良好なサブバンドを最適サブバンドとして決定し、前記送信部は該最適サブバンドの識別番号を基地局に通知する。
【発明の効果】
【０００７】
本発明によれば、現在端末に割り当てられているサブバンドと該サブバンドの両側のサブバンドとにおける端末の受信回線品質を測定し、各サブバンドにおける前記回線品質を比較し、最適サブバンドが現サブバンドより周波数が高いほうのサブバンドであるか、周波数が低いほうのサブバンドであるかを特定するサブバンド変更要求データを作成し、該サブバンド変更要求データを端末より基地局に送信するようにしたから、該サブバンド変更要求データを少ないビット数で表現でき、このため、頻繁に端末より基地局にサブバンドを含む測定結果を報告しても無線リソースの消費量の増大を抑えることができ、ダウンリンクでの伝送特性を向上することが可能になる。
又、本発明によれば、常時全サブバンドのパイロット測定を行なう必要が無く、定期的にあるいは無線通信環境が悪化したときにのみ全サブバンドのパイロット測定を行なうようにしたから、常時全サブバンドのパイロット測定を行なわなくても信頼性高く最適サブバンドを決定して基地局に通知できる。
【発明を実施するための最良の形態】
【０００８】
(A)本発明の原理
図１は本発明の原理説明図である。伝送帯域は６０個のサブバンドに分割されているものとして、以下、説明を行なう。但し、本発明は、６０個という分割数に依存したものではない。伝送開始時、端末MSは基地局BSから送られてくる全サブバンド＃１〜＃６０の共通パイロット＃１〜＃６０を受信し（S1）, 所定の最小測定時間単位（TTI）毎に該共通パイロット＃１〜＃６０に対する無線測定(SNRあるいは SIR等の測定)を行なう（S2）。そして、最も無線状態が良好なサブバンドを決定し（S3）、該サブバンドの識別番号とSIR値を基地局BSに報告する（S4）。但し、端末MSは、この無線測定結果を別のフォーマット（例えば、事前に定義されているテーブルでのインデックス等）に変換して基地局BSに報告してもよい。なお、サブバンド＃３が最適であるとし、このサブバンド♯３の識別番号を６ビットで表現して、 無線測定結果として例えばSIR値と共にステップS4で基地局BSに通知する。
基地局BSは各端末より上記通知を受信すれば各端末に最適のサブバンドを割り当て（S5）、該サブバンドで端末にデータを送信すると共に（S6）、全サブバンド＃１〜＃６０の共通パイロット＃１〜＃６０を送信する（S７）。なお、複数の端末から通知された最適サブバンドが同じ場合には例えばそれら端末へのデータ送信タイミングを異ならせる（時分割多重）。
端末MSは基地局BSから送られてくる全サブバンドの共通パイロット＃１〜＃６０のうち、現在ダウンリンクで該端末へのデータの伝送に使用しているサブバンド（＃３）とその両隣接サブバンド（＃２、＃４）の合計３サブバンドのそれぞれのサブバンドに対し、所定の最小測定時間単位（TTI）毎に無線測定を行なう（S8）。この測定結果をもとに、端末MSは、現在使用しているサブバンドのSIRと両隣のサブバンドのSIRを比較して、最適なサブバンドを決定する（S9）。最適なサブバンドが求まれば、端末MSは、現在使用しているサブバンドと比較して周波数が高いほう、あるいは、低いほうのサブバンドに変更してもらうことを要求する１ビット長のサブバンド変更要求コマンド(＋１，−１)を生成し（図２（A）参照）、SIRと共にアップリンクにて基地局BSに通知する（S10）。 基地局BSは端末MSよりサブバンド変更要求コマンドを受信し、該コマンドに基づいて該端末のサブバンドを現在使用しているサブバンドより周波数が高いほう、あるいは、周波数が低いほうのサブバンドを割り当て（S11）、該サブバンドで端末にデータを送信し、以後、上記シーケンスを繰り返す。
ステップS9において、両隣接のサブバンドで伝送される共通パイロットに対する測定結果と現在伝送に使用しているサブバンドで伝送される共通パイロットに対する測定結果の差がある閾値を超えた場合にサブバンド変更要求を行なう。この場合、瞬間的に測定結果が閾値を超えてしまうことを考慮し、複数の連続した最小測定時間単位において移動平均をとることが望ましい。
【０００９】
図２（A）はサブバンド変更要求コマンド(＋１，−１)を１ビットで表現し、該コマンドにより周波数が高いほう、あるいは、低いほうのサブバンドに変更してもらうことを要求する場合であるが、図２（B）に示すように、サブバンド変更要求コマンドを２ビットで表現することもできる。この場合には、サブバンド変更要求コマンドにより、基地局に周波数が高いほう、あるいは、低いほうのサブバンドに変更するよう要求できると共に、サブバンドを変更しないように基地局に要求することができる。
また、図２（C）に示すように、サブバンド変更要求コマンドを３ビットで表現することもできる。この場合には、サブバンド変更要求コマンドにより、隣接サブバンドだけでなく次隣接サブバンドへのサブバンド変更要求が可能になる。
また、図２（A）、（B）それぞれにおいて、＋ｎ/−ｎ番目の近隣サブバンドへの変更要求を行なうようにすることもできる。例えば、図２（A）においてｎ＝２とすれば、サブバンド変更要求コマンドが"０"であれば低い方の次隣接サブバンドを指定することを意味し、"１"であれば高い方の次隣接サブバンドを指定することを意味する。ｎの値は、事前に決められるものとし（例えば仕様書で明記されたもの）、あるいは、無線回線の品質等に応じて適応的に決定されるものとする。後者の場合、ｎの値は、例えば所定のアルゴリズムに従って基地局（ネットワーク上の制御装置を含む）若しくは端末によって決定する。
サブバンド特定するために、図２（A）〜（C）のいずれかに示す相対的サブバンド特定方法と、識別番号を使用してサブバンドを特定する直接的サブバンド特定方法とを併用する。データ伝送開始時は、端末MSは全サブバンドに対する無線測定を行い、最適サブバンドの識別番号を基地局BSに知らせる（全共通パイロット測定モード）。それ以降は、相対的サブバンド特定方法によりサブバンド変更要求を行なう（限定的パイロット測定モード）。但し、限定的パイロット測定モードでサブバンドを特定することが好ましくなくなれば、再び全共通パイロット測定モードに移行し、その後、再び限定的パイロット測定モードに移行する。
【００１０】
(B)第１実施例
図３は端末が全共通パイロット測定モードと限定的パイロット測定モードを併用して最適サブバンドを基地局に通知する第1実施例の説明図である。
（a）第１実施例の概要
データ伝送開始時(T1)、端末MSは全共通パイロット測定モード状態にあり、全サブバンドに対する無線測定を行って最適のサブバンドを決定し、該最適サブバンドの識別番号を基地局BSに知らせる。それ以降（T2〜T3）において、端末MSは限定的パイロット測定モード状態にあり、相対的サブバンド特定方法により基地局BSに対してサブバンド変更要求を行なう。この限定的パイロット測定モード状態において、端末MSは限定的パイロット測定モードが好ましくなくなったか監視しており、好ましくなくなれば、再び全共通パイロット測定モードに移行し（T4）、その後、再び限定的パイロット測定モードに移行する（T5以降）。
限定的パイロット測定モードが好ましくない条件は、
（1）着目している端末に対するデータ伝送に使用しているサブバンドとその両隣接サブバンドにおける無線測定値の平均値SIRAVが閾値TH以下になった場合、あるいは、
（2）着目している端末に対するデータ伝送に使用しているサブバンドとその両隣接サブバンドにおける無線測定値の中でもっとも良い無線測定値が閾値を下回った場合、あるいは、
（3）ダウンリンクにおける着目端末のデータ受信成功率が閾値を下回った場合、
である。これらの条件判定で使用する測定値は、複数の連続した最小測定時間単位（TTIなど）における移動平均値を使用してもよい。
【００１１】
（b）制御データCNTとユーザデータDT
図４は全共通パイロット測定モードと限定的パイロット測定モードのそれぞれにおいて最適サブバンドを特定する制御データCNTとユーザデータDTのフォーマット説明図である。ここで示すフォーマットはひとつの例である。全共通パイロット測定モードにおいては図４（A）に示すように、モード設定ビットMSBを"1"にし、制御情報の末尾の６ビットにサブバンド識別番号をマッピングして送信する。また、限定的パイロット測定モードにおいては図４（B）に示すように、モード設定ビットMSBを"0"にし、制御情報の末尾２ビットに図２(B)のサブバンド変更要求コマンドをマッピングして送信する。この結果、限定的パイロット測定モードではサブバンド識別番号を送信する場合に比べて４ビット少なくでき、その分ユーザデータ量を増加することができる。
【００１２】
（c）処理フロー
図５は全共通パイロット測定モードと限定的パイロット測定モードを併用して最適サブバンドを基地局に通知する端末MSの処理フローである。６０個のサブバンドに分割されているものとするが、特に、伝送帯域内におけるサブバンド数を限定するものではない。
データ伝送開始時、端末MSは全共通パイロット測定モード状態にあり、（1）全サブバンドの共通パイロットPilot＃１〜Pilot#60を用いて該サブバンドの無線測定（例えばSIRの測定）を行い、（2）測定結果に基づいて最適のサブバンドを決定し、（3）該最適サブバンドの識別番号を図4（A）に示すように6ビットで基地局BSに知らせる（ステップ１０１）。
以後、端末MSは限定的パイロット測定モード状態に移行し、TTI毎に（1）現在使用しているサブバンドとその両隣のサブバンドの合計3つのサブバンドの無線測定を行い、（2）３つの中から最適のサブバンドを決定し、（3）該決定結果に基づいてサブバンド変更要求コマンド（図２（Ｂ）参照）を作成し、該コマンドにより基地局に周波数が高いほうのサブバンドを要求し、あるいは、低いほうのサブバンドを要求し、あるいは、サブバンドを変更しないよう要求する（ステップ１０２）。
ステップ１０２の限定的パイロット測定モード状態において、端末MSは限定的パイロット測定モードが好ましくなくなったか監視しており（ステップ１０３）、限定的パイロット測定モードが好ましくなくなれば、再び全共通パイロット測定モードに移行し（ステップ１０１）、その後、再び限定的パイロット測定モードに移行する（ステップ１０２）。以後、上記動作を繰り返す。
【００１３】
（d）端末の構成
図６は端末MSの構成図である。
無線受信部１１は基地局からの無線信号を受信してベースバンド信号に周波数変換し、復調部１２はサブバンドID/サブバンド周波数管理部１３から入力するサブバンド周波数データに基づいて前記ベースバンド信号に含まれるサブバンド♯１〜♯６０の信号を復調し、各サブバンドのユーザデータ/制御信号とパイロット信号をそれぞれ分離してユーザデータ/制御信号部１４と無線状態測定部１５に入力する。
無線状態測定部１５は全共通パイロット測定モードにおいて、全サブバンドの共通パイロットPilot＃１〜＃６０を用いて各サブバンドの無線状態（例えばSIRあるいはSNR）を測定して最適サブバンド決定部１６に入力する。また、無線状態測定部１５は限定的パイロット測定モードにおいて、最適サブバンドとその両側隣接サブバンドの３つの共通パイロットPilot＃i−1〜＃i+1を用いて各サブバンドの無線状態を測定し、測定結果をサブバンド変更判断部１８と測定モード切替判断部１９に入力する。また、無線状態測定部１５は各測定モードにおいて最適サブバンドと決定されたサブバンドのSIR値を出力する。
測定モード切替判断部１９は、測定モードが全共通パイロット測定モードであれば、最適サブバンド決定部１６にハイレベルのイネーブル信号EN1を入力し、限定的パイロット測定モードであれば、サブバンド変更判断部１８にハイレベルのイネーブル信号EN2を入力する。また、測定モード切替判断部１９は、限定的パイロット測定モードにおいて測定モードを全共通パイロット測定モードに切り替えるための条件が成立したか監視し、成立すれば、最適サブバンド/測定モード管理部１７に測定モードの変更を入力し、かつ、イネーブル信号EN1をハイレベルにし、イネーブル信号EN2をローレベルする。
【００１４】
最適サブバンド決定部１６は全サブバンドの測定結果に基づいて最適サブバンドを決定して最適サブバンド/測定モード管理部１７と最適サブバンド通知信号生成部２０に入力する。
最適サブバンド/測定モード管理部１７は、測定モードと最適サブバンドを管理すると共に、該測定モードを無線状態測定部１５に入力し、また、限定的パイロット測定モードにおいて最適サブバンドを無線状態測定部１５に入力する。最適サブバンド通知信号生成部２０は、最適サブバンド決定部１６から最適サブバンドの通知を受信すれば、サブバンドID/サブバンド周波数管理部１３から該最適サブバンドの識別番号を取得して第１多重部２１に入力する。
サブバンド変更判断部１８は限定的パイロット測定モードにおいて、入力する３つのサブバンドの測定結果を比較し、３つの中から最適のサブバンドを決定して最適サブバンド/測定モード管理部１７とサブバンド変更要求信号生成部２２に入力する。最適サブバンド/測定モード管理部１７はサブバンド変更判断部１８の出力信号に基づいて最適サブバンドを更新し、該最適サブバンドを無線状態測定部１５に入力する。
サブバンド変更要求信号生成部２２は入力された最適のサブバンドに基づいてサブバンド変更要求コマンドを作成して第１多重部２１に入力する。このサブバンド変更要求コマンドは、基地局に現在使用中のサブバンドより周波数が高いほうのサブバンドを要求し、あるいは、低いほうのサブバンドを要求し、あるいは、サブバンドの変更をしないよう要求するコマンドである。
第1多重部２１は、（1）最適サブバンド/測定モード管理部１７から入力する測定モード（モード設定ビット）と、(2)最適サブバンド通知信号生成部２０から入力するサブバンド識別番号あるいはサブバンド変更要求信号生成部２２から入力するサブバンド変更要求コマンドと、（3）最適サブバンドのSIR値とを多重して第２多重部２３に入力する。但し、最適サブバンドのはもよい
第２多重部２３は第１多重部２１から入力するサブバンド関連データを制御信号の所定位置に組み込み、チャネルコーディング/物理チャネル生成部２４は該制御信号及びユーザデータにチャネル符号化処理を施し、所定の物理チャネルを生成する。変調部２５は各物理チャネルデータを変調し、無線送信部２６は該変調データ周波数を無線周波数にアップコンバートしてアンテナより基地局に送信する。
【００１５】
（e）端末の動作
データ伝送開始時、最適サブバンド/測定モード管理部１７は測定モードとして全共通パイロット測定モードを無線状態測定部１５に入力する。無線状態測定部１５は全サブバンドの共通パイロットPilot＃１〜＃６０を用いて各サブバンドの無線状態（例えばSIRあるいはSNR）を測定して最適サブバンド決定部１６に入力する。
データ伝送開始時、イネーブル信号EN1がハイレベルになっているから、最適サブバンド決定部１６は全サブバンドの測定結果が入力されると、これら測定結果に基づいて最適サブバンド＃ｉを決定し、該最適サブバンドを最適サブバンド/測定モード管理部１７と最適サブバンド通知信号生成部２０に入力する。最適サブバンド通知信号生成部２０は該最適サブバンドの識別番号を取得して第１多重部２１に入力する。以後、端末は基地局には該最適サブバンドの識別番号を送信する。
また、最適サブバンド/測定モード管理部１７は、最適サブバンド＃ｉが入力するとこれを保存し、かつ、測定モードを限定的パイロット測定モードに変更し、該限定的パイロット測定モードと最適サブバンドとを無線状態測定部１５に入力する。
以後、無線状態測定部１５は限定的パイロット測定モードにおいて、最適サブバンド＃ｉとその両側隣接サブバンドの３つのパイロットPilot＃i‐1〜＃i+1を用いて各サブバンドの無線状態を測定し、測定結果をサブバンド変更判断部１８と測定モード切替判断部１９に入力する。
【００１６】
測定モード切替判断部１９は、限定的パイロット測定モードにおいて入力する３つのサブバンドの測定結果により、全共通パイロット測定モードに切り替えるための条件が成立したか監視し、成立しなければ、サブバンド変更判定部１８にハイレベルのイネーブル信号E2を入力する。これにより、サブバンド変更判断部１８は限定的パイロット測定モードにおいて、入力する３つのサブバンドの測定結果を比較し、３つの中から最適のサブバンドを決定して最適サブバンド/測定モード管理部１７とサブバンド変更要求信号生成部２２に入力する。最適サブバンド/測定モード管理部１７は入力信号に基づいて最適サブバンドを更新し、該最適サブバンドを無線状態測定部１５に入力する。一方、サブバンド変更要求信号生成部２２は入力された最適のサブバンドに基づいてサブバンド変更要求コマンド（図２（Ｂ）参照）を作成して第１多重部２１に入力する。以後、端末は基地局に該サブバンド変更要求コマンドを送信する。
一方、測定モード切替判断部１９は、限定的パイロット測定モードにおいて入力する３つのサブバンドの測定結果により、全共通パイロット測定モードに切り替えるための条件が成立したと判定すれば、最適サブバンド/測定モード管理部１７に測定モードの変更を入力し、かつ、イネーブル信号EN1をハイレベルにし、イネーブル信号EN2をローレベルする。最適サブバンド/測定モード管理部１７は直ちに測定モードとして全共通パイロット測定モードを無線状態測定部１５に入力する。これにより、無線状態測定部１５は全サブバンドの共通パイロットPilot＃１〜＃６０を用いて各サブバンドの無線状態を測定して最適サブバンド決定部１６に入力する。
最適サブバンド決定部１６は全サブバンドの測定結果に基づいて最適サブバンド＃ｊを決定し、該最適サブバンドを最適サブバンド/測定モード管理部１７と最適サブバンド通知信号生成部２０に入力する。最適サブバンド通知信号生成部２０は該最適サブバンドの識別番号を取得して第１多重部２１に入力する。以後、端末は基地局には該最適サブバンドの識別番号を送信する。また、最適サブバンド/測定モード管理部１７は、最適サブバンド＃ｊが入力するとこれを保存し、かつ、測定モードを限定的パイロット測定モードに変更し、該限定的パイロット測定モードと最適サブバンド＃ｊとを無線状態測定部１５に入力する。以後、上記動作が繰りかえされる。
【００１７】
（f）基地局の構成
図７は基地局の構成図、図８は基地局のサブバンド変更処理フローである。
基地局において、無線部３１は各端末から無線信号を受信し、周波数をベースバンド周波数にダウンコンバートして復号部３２に入力する。復号部３２は各端末からの制御信号を復号し、各端末からのサブバンド関連情報（図４参照）を抽出してダウンリンクデータ送信スケジューラ３３に入力する（ステップ２０１）。スケジューラ３３は端末毎にモード設定ビットMSBを参照して制御信号にサブバンド識別番号が含まれているか、サブバンド変更要求コマンドが含まれているかチェックする（ステップ２０２）。
所定の端末から受信した制御情報のモード設定ビットMSBが"1゛であれば、すなわち、制御情報にサブバンド識別番号が含まれていれば、スケジューラ３３は内蔵の対応テーブルTBLに保持している該端末の最適サブバンド番号Ｂｉを該受信したサブバンド識別番号で更新する（ステップ２０３）。一方、ステップ２０２において、モード設定ビットMSBが"0゛であれば、すなわち、制御情報にサブバンド変更要求コマンドが含まれていれば、スケジューラ３３は該コマンドが"00"、"10"、"01"のいずれであるか調べ（ステップ２０４，２０５）、"10"であれば低い側へのシフトであると判定し、テーブルTBLに保持している該端末の最適サブバンド番号Ｂｉを次式
Ｂｉ−１＝Ｂｉ
により更新する（ステップ２０６）。また、"01" であれば高い側へのシフトであると判定し、テーブルTBLに保持している該端末の最適サブバンド番号Ｂｉを次式
Ｂｉ＋１＝Ｂｉ
により更新する（ステップ２０７）。また、"00" であれば現在のサブバンド維持であるとして着目端末のサブバンドを変更しない（ステップ２０８）。
【００１８】
全端末のサブバンド更新処理を終了すれば、スケジューラ３３は各端末の最適バンドを制御部３４に通知し、制御部３４は該通知されたサブバンドに各ユーザ宛のデータを周波数多重するように信号多重部３５を制御し、物理チャネル生成部３６は各端末への多重データを用いて物理チャネルを生成し、無線部３７は各物理チャネルデータを変調し、該変調データ周波数を無線周波数にアップコンバートしてアンテナより各端末に送信する。
以上の説明では端末が図２（Ｂ）に示す２ビットでサブバンド変更要求コマンドを作成して基地局に送信するものとした場合であるが、図２（Ａ）、図２（Ｃ）のサブバンド変更要求コマンドを作成する場合も同様に説明することができる。
第１実施例によれば、サブバンドを特定するために使用するビット数を効果的に減らすことができ、無線リソースの消費量を抑えつつ高頻度で最適サブバンドを基地局に通知することができ、基地局から端末へ良好な通信が可能となる。
また、第１実施例によれば、全共通パイロット測定モードと限定的パイロット測定モードを併用しているため、高信頼度で最適サブバンドを基地局に通知することができる。
また、第１実施例によれば、常時、全サブバンドのパイロット測定を行なう必要が無く、無線通信環境が悪化したときにのみ全サブバンドのパイロット測定を行なうだけでよいため、基地局のスループットを向上することができる。
【００１９】
（C）第２実施例
（a）第２実施例の概要
図９は端末が全共通パイロット測定モードと限定的パイロット測定モードを併用して最適サブバンドを基地局に通知する第２実施例の説明図である。
データ伝送開始時(時刻T1)において、端末MSは全共通パイロット測定モードにしたがって、全サブバンドに対する無線測定を行い、最適サブバンドの識別番号を基地局BSに通知する。ついで、k個の連続したTTIの期間（T2〜T3）、端末MSは限定的パイロット測定モードにしたがって基地局BSにサブバンドの変更要求を行なう。しかる後、端末MSは時刻T4に置いて再び全共通パイロット測定モードに移行し、全サブバンドに対する無線測定を行い、最適サブバンドの識別番号を基地局BSに通知する。以後、端末MSはk個の連続したTTIの期間、限定的パイロット測定モードにしたがって基地局BSにサブバンドの変更要求を行なう毎に、1TTIの期間全共通パイロット測定モードに移行する動作を繰り返す。
図９のように限定的パイロット測定モードの繰り返し回数kが一定の場合には、図１０に示すように制御データには第１実施例の制御データ（図４参照）と異なり、モード設定ビットMSBが不要になりその分データ伝送帯域を広くすることができる。図１０（A）は全共通パイロット測定モードにおける制御データとユーザデータの例、図１０（B）は限定的パイロット測定モードにおける制御データとユーザデータの例である。
kの値は事前に決められた値、もしくは、端末の移動速度等に対し適応的に変化する値である。前者の場合、その無線システムの仕様書等に明記されるkの値を用いる。後者の場合、所定のアルゴリズムに従い、無線回線品質や端末の動作環境（移動速度等）等に応じて、端末（あるいは基地局あるいはネットワーク上の制御装置も含まれる）によって決定され、端末-基地局間で値が共有される。この場合、端末はkを基地局に通知するか、あるいは、制御データに図４のモード設定ビットMSBが必要になる。
【００２０】
（b）端末の構成及び動作
図１１は第２実施例の端末の構成図であり、無線回線品質あるいは端末の動作環境（移動速度等）等に応じて限定的パイロット測定モードの繰り返し回数kを適応的に制御する端末の構成図であり、図６の第１実施例の構成と同一部分には同一符号を付している。異なる点は、(１)端末移動速度測定部４１と限定的パイロット測定の繰り返し回数ｋを決定する回数決定部４２を設けている点、(２)測定モード切替判断部１９による測定モード切替判断の処理である。
端末移動速度測定部４１は、例えば、共通パイロット信号を用いてドプラー周波数を推定し、該推定されたドプラー周波数に基づいて移動端末の移動速度を推定して回数決定部４２に入力する。端末移動速度が速いほどSIRの変動速度が速いため、回数決定部４２は端末移動速度が速いと図９で説明した限定的パイロット測定モードの繰り返し回数kを小さくし、遅いと繰り返し回数kを大きくする。
【００２１】
測定モード切替判断部１９はk回のTTI期間の限定的パイロット測定モード毎に1回の全共通パイロット測定モードを行なうように測定モードを切り替え、モード切替信号を最適サブバンド/測定モード管理部１７に入力すると共に、イネーブル信号EN1,EN2を適宜最適サブバンド決定部１６、サブバンド変更判定部１８に入力する。
図１１では限定的パイロット測定回数ｋを端末移動速度に基いて制御した例であるが、kは一定であってもよく、その場合には端末移動速度測定部４１と回数決定部４２は不要になる。
第２実施例によれば、全共通パイロット測定モードと限定的パイロット測定モードを併用しているため、高信頼度で最適サブバンドを基地局に通知することができる。
また、第２実施例によれば、常時、全サブバンドのパイロット測定を行なう必要が無く、一定回数kの限定的パイロット測定モード毎に1回の全共通パイロット測定モードを行なうだけでよいため、基地局へのサブバンド通知時にモード情報を通知する必要が無いため制御データ数を削減できる。
また、第２実施例によれば、限定的パイロット測定の繰り返し回数kを無線状態あるいは端末移動速度に応じて制御するため、最適な繰り返し回数kの制御が可能となる。
【００２２】
（D）第３実施例
（a）第３実施例の概要
図１２は端末が全共通パイロット測定モードと限定的パイロット測定モードを併用して最適サブバンドを基地局に通知する第３実施例の説明図であり、全共通パイロット測定モード時にm個の連続するTTIにおいて全サブバンドの無線状態を測定し、その平均値に基づいて最適サブバンドを決定する点で第１実施例と異なる。
データ伝送開始時 (T1〜T2)、端末MSはm個の連続するTTIのそれぞれにおいて全共通パイロットを用いて全サブバンドの無線状態(SIRあるいはSNR)を測定し、m×TTI期間の平均値に基づいて最適サブバンドを決定し、該最適サブバンドの識別番号を基地局に知らせる（全共通パイロット測定モード）。ｍの値は、事前に決められた値あるいは無線回線状態、端末移動速度等に応じて適応的に決められる値である。
それ以降（T3〜T4）において、端末MSは限定的パイロット測定モード状態にあり、相対的サブバンド特定方法により基地局BSに対してサブバンド変更要求を行なう。この限定的パイロット測定モード状態において、端末MSは該限定的パイロット測定モードが好ましくなくなったか監視しており、好ましくなくなれば、再び全共通パイロット測定モードに移行し（T5〜T6）、m×TTI期間の平均値に基づいて最適サブバンドを決定し、該最適サブバンドの識別番号を基地局に知らせる。その後、再び限定的パイロット測定モードに移行し、上記制御を繰り返す（T7以降）。限定的パイロット測定モードが好ましくなくなる条件は、第1実施例と同じである。
【００２３】
（b）端末の処理フロー
図１３は第３実施例の端末MSの処理フローである。
データ伝送開始時、端末MSは全共通パイロット測定モード状態にあり、m個の連続するTTIのそれぞれにおいて、全サブバンドの共通パイロットPilot＃１〜Pilot#60を用いて全サブバンドのSIRを測定し、m×TTI期間の平均値を算出する(ステップ３０１)。ついで、端末MSは全サブバンドの該SIRの平均値に基づいて最適サブバンドを決定し、該最適サブバンドの識別番号を図４（A）に示すように6ビットで基地局BSに知らせる（ステップ３０２）。
以後、端末MSは限定的パイロット測定モード状態に移行し、TTI毎に（1）現在使用しているサブバンドとその両隣のサブバンドの合計3つのサブバンドの無線測定を行い、（2）３つの中から最適のサブバンドを決定し、（3）該決定結果に基づいてサブバンド変更要求コマンド（図2（Ｂ）参照）を作成し、該コマンドにより基地局に周波数が高いほうのサブバンドを要求し、あるいは、低いほうのサブバンドを要求し、あるいは、サブバンドの変更しないよう要求する（ステップ３０３）。
ステップ３０３の限定的パイロット測定モード状態において、端末MSは限定的パイロット測定モードが好ましくなくなったか監視しており（ステップ３０４）、好ましくなくなれば、再び全共通パイロット測定モードに移行し（ステップ３０１）、その後、再び限定的パイロット測定モードに移行する（ステップ３０２）。以後、上記動作を繰り返す。
【００２４】
（c）端末の構成及び動作
図１４は第３実施例の端末の構成図であり、無線回線品質あるいは端末の動作環境（移動速度等）等に応じて全共通パイロット測定モードの繰り返し回数mを適応的に変更する場合の端末の構成図であり、図６の第１実施例の構成と同一部分には同一符号を付している。異なる点は、(1)端末移動速度測定部５１と全共通パイロット測定モードの繰り返し回数mを決定する回数決定部５２を設けている点、(2)最適サブバンド決定部16による最適サブバンド決定処理法である。
端末移動速度測定部５１は、例えば、共通パイロット信号を用いてドプラー周波数を推定し、該推定されたドプラー周波数に基づいて端末の移動速度を推定して回数決定部５２に入力する。端末移動速度が速いほどSIRの変動速度が速いため、回数決定部５２は端末移動速度が速いと図１２で説明した全共通パイロット測定の繰り返し回数mを大きくし、遅いと繰り返し回数mを小さくする。
測定モード切替判断部１９は限定的パイロット測定モード中において、限定的パイロット測定モードが好ましくなくなったか監視しており、好ましくなくなれば、最適サブバンド/測定モード管理部１７に測定モードの変更を入力し、かつ、イネーブル信号EN1をハイレベルにし、イネーブル信号EN2をローレベルする。
最適サブバンド/測定モード管理部１７は直ちに測定モードとして全共通パイロット測定モードを無線状態測定部１５に入力する。これにより、無線状態測定部１５は全サブバンドの共通パイロットPilot＃１〜＃６０を用いて各サブバンドの無線状態を測定して最適サブバンド決定部１６に入力する。
【００２５】
最適サブバンド決定部１６はイネーブル信号EN1がハイレベルになれば、以後、j×TTI(ただし、jの初期値は１)の期間における測定結果の平均値に基づいて最適サブバンドを決定し、ｊを歩進すると共に（j+1=j）、該最適サブバンドを最適サブバンド通知信号生成部２０に入力するする。最適サブバンド通知信号生成部２０は該最適サブバンドの識別番号を取得して第１多重部２１に入力する。以後、端末は基地局に該最適サブバンドの識別番号を送信する。最適サブバンド決定部１６はj=mとなれば、m×TTIの期間における測定結果の平均値に基づいて最適サブバンド#Mを決定し、該最適サブバンドを最適サブバンド通知信号生成部２０に入力するすると共に最適サブバンド/測定モード管理部１７に入力する。
最適サブバンド通知信号生成部２０は該最適サブバンド＃Mの識別番号を取得して第１多重部２１に入力する。以後、端末は基地局に該最適サブバンド＃Mの識別番号を送信する。また、最適サブバンド/測定モード管理部１７は、最適サブバンド＃Mが入力するとこれを保存し、かつ、測定モードを限定的パイロット測定モードに変更し、該限定的パイロット測定モードと最適サブバンド＃Mとを無線状態測定部１５に入力する。以後、限定低測定モードとなり、上記動作が繰りかえされる。
【００２６】
図１４では全共通パイロット測定モードの繰り返し回数mを適応的に制御する例であるが、mは一定であってもよく、その場合には端末移動速度測定部５１と回数決定部５２は不要になる。
第３実施例によれば、全共通パイロット測定モードと限定的パイロット測定モードを併用しているため、高信頼度で最適サブバンドを基地局に通知することができる。
また、第３実施例によれば、常時、全サブバンドのパイロット測定を行なう必要が無く、無線通信環境が悪化したときにのみ全サブバンドのパイロット測定を行なうだけでよいため、基地局のスループットを向上することができる。
また、第３実施例によれば、全共通パイロット測定の繰り返し回数mを無線状態あるいは端末移動速度に応じて制御するため、最適な繰り返し回数mの制御が可能となる。
【００２７】
（E）変形例
（a）第１変形例
第２、第３実施例は、それぞれ個々に限定的パイロット測定モードの繰り返し回数k、全共通パイロット測定モードの繰り返し回数mを制御した例であるが、図１５に示すようにこれらk，mを同時に制御するように構成することができる。
（b）第２変形例
図７の基地局の実施例において、データ送信スケジューラ３３は各端末から受信した最適サブバンドに基いて各端末にサブバンドを割り当てた例を示したが、図１６に示すように、端末移動速度推定部３８を設け、データ送信スケジューラ３３は端末より受信した最適サブバンド情報と該端末の移動速度を考慮して各端末にサブバンドを割り当てるように構成することもできる。この場合、端末は例えば制御信号に含まれるユーザID情報に基づいて自分宛の最適サブバンドを判別する。
【００２８】
・付記
（付記１）
複数のサブバンドにおける受信回線品質に基づいて決まる最適サブバンドを端末より基地局へ通知するサブバンド通知方法において、
現在端末に割り当てられているサブバンドと該サブバンドの両側のサブバンドとにおける端末の受信回線品質を測定するステップ、
各サブバンドにおける前記回線品質を比較し、最適サブバンドが現サブバンドより周波数が高いほうのサブバンドであるか、周波数が低いほうのサブバンドであるかを特定するサブバンド変更要求データを作成するステップ、
該サブバンド変更要求データを端末より基地局に送信するステップ、
を備えたことを特徴とするサブバンド通知方法。    
（付記２）
伝送開始時、端末は全サブバンドにおける受信回線品質を測定し、最も品質が良好なサブバンドを最適サブバンドとし、該サブバンドの識別番号を基地局に通知するステップ、
を備えたことを特徴とする付記１記載のサブバンド通知方法。
（付記３）
前記サブバンド変更要求データを２ビットで構成し、該２ビットにより、前記最適サブバンドが現サブバンドより周波数が高いほうのサブバンドであるか、周波数が低いほうのサブバンドであるか、現在端末に割り当てられているサブバンドを維持するかを特定する、
ことを特徴とする付記１記載のサブバンド通知方法。
（付記４）
前記サブバンド変更要求データを３ビットで構成し、該３ビットにより、前記最適サブバンドが現サブバンドより周波数が高いほうの第１または第２隣接サブバンドであるか、周波数が低いほうの第１または第２隣接サブバンドであるか、現在端末に割り当てられているサブバンドを維持するかを特定する、
ことを特徴とする付記１記載のサブバンド通知方法。
（付記５）
前記サブバンド変更要求データにより、最適サブバンドが現サブバンドより周波数が高いほうの第ｎ番目に隣接するサブバンドであるか、周波数が低いほうの第ｎ番目に隣接するサブバンドであるかを特定し、前記ｎの値を固定値にし、あるいは前記ｎの値を無線回線の品質により制御するステップ、
を備えることを特徴とする付記１または３記載のサブバンド通知方法。
（付記６）
現サブバンドと該サブバンドの両側のサブバンドの回線品質を比較して前記サブバンド変更要求データを端末より基地局に送信する第１のモードにおいて、全サブバンドにおける回線品質のうち最も品質が良好なサブバンドの識別番号を基地局に通知する第２のモードに移行すべき条件が成立したか監視するステップ、
前記条件が成立したとき、全サブバンドにおける受信回線品質を測定し、最も品質が良好なサブバンドの識別番号を基地局に通知するステップ、
しかる後、前記第１モードに移行するステップ、
を備えたことを特徴とする付記１記載のサブバンド通知方法。    
（付記７）
前記第２のモードにおいて、ｍ回の受信回線測定の平均値に基づいて最も品質が良好なサブバンドを識別し、該ｍの値を固定にし、あるいは該ｍの値を無線回線の品質により制御するステップ、
を備えることを特徴とする付記６記載のサブバンド通知方法。
（付記８）
現サブバンドと該サブバンドの両側のサブバンドの回線品質を比較して前記サブバンド変更要求データを端末より基地局に送信する第１のモードにおいて、該サブバンド変更要求データを連続して作成した回数が所定の回数ｋになったか監視するステップ、
前記サブバンド変更要求データの作成回数が前記所定の回数ｋになったとき、全サブバンドにおける回線品質のうち最も品質が良好なサブバンドの識別番号を基地局に通知する第２のモードに移行し、該第２のモードにおいて、全サブバンドにおける受信回線品質を測定し、最も品質が良好なサブバンドの識別番号を基地局に通知するステップ、
しかる後、前記第１のモードに移行するステップ、
を備えたことを特徴とする付記１記載のサブバンド通知方法。
（付記９）
前記ｋの値を固定値にし、あるいは前記ｋの値を無線回線の品質により制御するステップ、
を備えることを特徴とする付記８記載のサブバンド通知方法。
（付記１０）
端末より受信回線品質が最適のサブバンドの識別番号を受信したとき該サブバンド識別番号を保持すると共に、該サブバンドを用いて該端末にデータを送信するステップ、
前記端末より最適サブバンドが現サブバンドより周波数が高いほうのサブバンドであるか、周波数が低いほうのサブバンドであるかを特定する制御データを受信したとき、該受信データに基づいて前記保持している最適サブバンドを更新するステップ、
該更新後の最適サブバンドを用いて該端末にデータを送信するステップ、
を備えることを特徴とする付記１記載のサブバンド通知方法。    
（付記１１）
複数のサブバンドにおける受信回線品質に基づいて決まる最適サブバンドを基地局へ通知する端末装置において、
現在端末装置に割り当てられているサブバンドと該サブバンドの両側のサブバンドとにおける受信回線品質を測定する受信品質測定部、
各サブバンドにおける前記回線品質を比較し、最適サブバンドが現サブバンドより周波数が高いほうのサブバンドであるか、周波数が低いほうのサブバンドであるかを決定する最適サブバンド決定部、
前記決定に基づいてサブバンド変更要求データを作成し、該サブバンド変更要求データを基地局に送信する送信部、
を備えたことを特徴とする端末装置。  
（付記１２）
現サブバンドと該サブバンドの両側のサブバンドの回線品質を比較して前記サブバンド変更要求データを基地局に送信する第１のモードにおいて、全サブバンドにおける回線品質のうち最も品質が良好なサブバンドの識別番号を基地局に通知する第２のモードに移行すべき条件が成立したか監視する測定モード変更切替判断部、
を備え、前記条件が成立したとき、前記最適サブバンド決定部は前記受信品質測定部より出力される全サブバンドにおける受信回線品質を参照し、最も品質が良好なサブバンドを最適サブバンドとして決定し、前記送信部は該最適サブバンドの識別番号を基地局に通知することを特徴とする付記１１記載の端末装置。    
（付記１３）
現サブバンドと該サブバンドの両側のサブバンドの回線品質を比較して前記サブバンド変更要求データを端末より基地局に送信する第１のモードにおいて、該サブバンド変更要求データを連続して作成した回数が所定の回数ｋになったか監視する測定モード変更切替判断部、
前記サブバンド変更要求データの作成回数が前記所定の回数ｋになったとき、前記最適サブバンド決定部は第１モードから第２モードに移行し、該第２モードにおいて、前記受信品質測定部より出力される全サブバンドにおける受信回線品質を参照し、最も品質が良好なサブバンドを最適サブバンドとして決定し、前記送信部は該最適サブバンドの識別番号を基地局に通知することを特徴とする付記１１記載の端末装置。
（付記１４）
前記最適サブバンド決定部が前記第２モードにおいてｍ回の受信回線測定の平均値に基づいて最も品質が良好なサブバンドを識別する場合、該ｍの値を無線回線の品質により制御する回数決定部、
を備えることを特徴とする付記１２または１３記載の端末装置。
（付記１５）
前記ｋの値を無線回線の品質により制御する回数決定部
を備えることを特徴とする付記１３記載の端末装置。
（付記１６）
複数のサブバンドを用いて複数の端末へデータを送信する周波数分割多重送信を行う基地局装置において、
端末より受信回線品質が最適のサブバンドの識別番号を受信したとき該サブバンド識別番号を該端末に対応させて保持する記憶部、
前記端末より最適サブバンドが現サブバンドより周波数が高いほうのサブバンドであるか、周波数が低いほうのサブバンドであるかを特定する制御データを受信したとき、該受信データに基づいて前記保持している最適サブバンドを更新する更新制御部、
各端末の最適サブバンドを用いて該端末にデータを送信するデータ送信部
を備えることを特徴とする基地局装置。
【図面の簡単な説明】
【００２９】
【図１】本発明の原理説明図である。
【図２】サブバンド変更要求コマンド説明図である。
【図３】端末が全共通パイロット測定モードと限定的パイロット測定モードを併用して最適サブバンドを基地局に通知する第1実施例の説明図である。
【図４】全共通パイロット測定モードと限定的パイロット測定モードのそれぞれにおいて最適サブバンドを特定する制御データCNTとユーザデータDTのフォーマット説明図である。
【図５】全共通パイロット測定モードと限定的パイロット測定モードを併用して最適サブバンドを基地局に通知する端末MSの処理フローである。
【図６】第１実施例の端末の構成図である。
【図７】第１実施例の基地局の構成図である。
【図８】基地局のサブバンド変更処理フローである。
【図９】端末が全共通パイロット測定モードと限定的パイロット測定モードを併用して最適サブバンドを基地局に通知する第２実施例の説明図である。
【図１０】第２実施例の制御データ説明図である。
【図１１】第２実施例の端末の構成図である。
【図１２】端末が全共通パイロット測定モードと限定的パイロット測定モードを併用して最適サブバンドを基地局に通知する第３実施例の説明図である。
【図１３】第３実施例の端末の処理フローである。
【図１４】第３実施例の端末の構成図である。
【図１５】第１変形例の説明図である。
【図１６】第２変形例の基地局の構成図である。
【図１７】ダウンリンクの無線フレームの一例を示す概要図である。
【図１８】従来のサブバンド通知方法の説明図である。
【符号の説明】
【００３０】
BS  基地局
MS  端末
S1  共通パイロット送受信
S2  共通パイロット測定
S3  最適サブバンド決定
S4  サブバンド識別番号とSIR通知
S5  サブバンド割り当て
S6  データ送信
S7  共通パイロット送受信
S8  共通パイロット測定
S9  最適サブバンド決定
S10  サブバンド変更要求コマンドとSIR通知
S11  サブバンド割り当て
【図１】
0004716907.tif 000002
【図２】
0004716907.tif 000003
【図３】
0004716907.tif 000004
【図４】
0004716907.tif 000005
【図５】
0004716907.tif 000006
【図６】
0004716907.tif 000007
【図７】
0004716907.tif 000008
【図８】
0004716907.tif 000009
【図９】
0004716907.tif 000010
【図１０】
0004716907.tif 000011
【図１１】
0004716907.tif 000012
【図１２】
0004716907.tif 000013
【図１３】
0004716907.tif 000014
【図１４】
0004716907.tif 000015
【図１５】
0004716907.tif 000016
【図１６】
0004716907.tif 000017
【図１７】
0004716907.tif 000018
【図１８】
0004716907.tif 000019